(57)【要約】【課題】所有者にしか解除できないロック機構を備えた工具を提供する。【解決手段】釘打機１００は、ロック解除番号を設定可能なダイヤル錠１３０と、ダイヤル錠のロック解除番号の設定によるロック解除に伴って移動可能とされる閂部材７４とを有する第２のロック機構５０とを備える。トリガ１６をロックする場合、トリガロックダイヤル９４の操作によりトリガロックレバーをロック位置に設定し、ダイヤル錠１３０のロックを解除して閂部材７４をトリガロックダイヤルに当接する位置まで移動させ、ダイヤル錠１３０を再びロックすることにより、トリガロックダイヤル９４をロック位置に固定する。【選択図】図１
2010173044.tif 000002
【特許請求の範囲】
【請求項１】
駆動機構を有した工具本体と、
前記工具本体に設けられて前記駆動機構を機動する操作部と、
前記操作部の操作を拘束するロック位置および当該操作部の操作を解除するロック解除位置を有して前記操作部に係合可能に設けられた第１のロック機構と、
前記第１のロック機構の動作を拘束するロック位置および当該第１のロック機構の動作を解除するロック解除位置を有し、かつ、取扱者の固有情報が設定可能な施錠機能を有して前記第１のロック機構に係合可能に設けられた第２のロック機構とを備え、
前記固有情報が設定されると共に前記第２のロック機構の施錠機能が解除されることを特徴とする工具。
【請求項２】
前記第１のロック機構は、
前記ロック解除位置に前記操作部としてのトリガが係合される係合部を有するトリガロックレバーと、
前記トリガロックレバーの一端部に取り付けられ、前記トリガロックレバーを前記ロック位置および前記ロック解除位置に移動させるためのトリガロックダイヤルと有し、
前記第２のロック機構は、
前記固有情報を設定可能な施錠部と、
前記施錠部に取り付けられて前記施錠部の前記固有情報の設定によるロック解除に伴って移動可能とされる閂部材とを有し、
前記トリガをロックする場合、前記トリガロックダイヤルの操作により前記トリガロックレバーを前記ロック位置に設定した後、前記施錠部のロックを解除して前記閂部材を前記トリガロックダイヤルに当接または近接する位置まで移動させて前記施錠部をロックすることにより、前記トリガロックダイヤルを前記ロック位置に固定する
ことを特徴とする請求項１に記載の工具。
【請求項３】
前記第１のロック機構は、
前記ロック解除位置に前記操作部としてのトリガが係合される係合部を有するトリガロックレバーと、
前記トリガロックレバーの一端部に取り付けられ、前記トリガロックレバーを前記ロック位置および前記ロック解除位置に移動させるためのトリガロックダイヤルと有し、
前記第２のロック機構は、
前記工具本体に取り付けられるロック機構本体と、
前記ロック機構本体に回転可能に支持されると共に複数のダイヤル番号を有するダイヤル輪と、当該ダイヤル輪の前記ダイヤル番号に基づいて設定されるロック解除番号に対応した位置に凹部が設けられたダイヤル輪芯とを含む施錠部と、
前記施錠部の前記ダイヤル輪芯の前記凹部に嵌合する第１の凸部と前記トリガロックダイヤルの動作を拘束する第２の凸部とを含むロック制御板とを有し、
前記トリガをロックする場合、前記施錠部をロック解除番号以外に設定し、前記第１の凸部を前記ダイヤル輪芯の前記凹部とは異なる周面部に位置させることにより前記第２の凸部を前記トリガロックダイヤルに係合させて前記トリガロックレバーを前記ロック位置に固定する
ことを特徴とする請求項１に記載の工具。
【請求項４】
前記第１のロック機構は、
前記ロック解除位置に前記操作部としてのトリガが係合される係合部を有するトリガロックレバーと、
前記トリガロックレバーの一端部に取り付けられ、前記トリガロックレバーを前記ロック位置および前記ロック解除位置に移動させるためのトリガロックダイヤルと有し、
前記第２のロック機構は、
前記工具本体に取り付けられるロック機構本体と、
前記ロック機構本体に回転可能に支持されると共に前記固有情報を設定可能な施錠部と、
前記施錠部に取り付けられて前記施錠部の前記固有情報の設定によるロック解除に伴って移動可能とされる閂部材と、
前記ロック機構本体に取り付けられ、前記閂部材の移動に伴って前記トリガロックダイヤルと前記工具本体との間隙部に挿入されるロック部材とを有する
ことを特徴とする請求項１に記載の工具。
【請求項５】
前記第２のロック機構は、
前記ロック部材が前記工具本体にロックされるときに前記閂部材によりオンに切り換えられるスイッチ部と、
前記スイッチ部のオンにより、前記トリガロックダイヤルまたは前記工具本体と前記第２のロック機構との間の距離情報を検出するセンサ部と、
前記センサ部により検出された前記距離情報に基づく検出値と予め設定されている正常値とを比較することにより、前記第２のロック機構が前記工具本体にロックされた状態で取り外されたか否かを判断する制御部と、
前記制御部により前記第２のロック機構が前記工具本体にロックされた状態で取り外されたと判断した場合に音を出力する音出力部とをさらに備える
ことを特徴とする請求項４に記載の工具。
【請求項６】
前記第１のロック機構は、
前記ロック解除位置に前記操作部としてのトリガが係合される係合部を有するトリガロックレバーと、
前記トリガロックレバーの一端部に取り付けられ、前記トリガロックレバーを前記ロック位置および前記ロック解除位置に移動させるためのトリガロックダイヤルと有し、
前記第２のロック機構は、
前記固有情報を設定可能な施錠部と、
前記トリガロックレバーの動作を拘束する前記ロック位置に対応して設けられた肉薄部または肉厚部を含み、前記施錠部の前記固有情報の設定によるロック解除に伴って移動可能とされる閂部材とを有し、
前記トリガをロックする場合、前記施錠部のロックを解除して前記閂部材の前記肉薄部または前記肉厚部を前記ロック位置に移動させることにより、前記トリガロックレバーを前記ロック位置に移動させる
ことを特徴とする請求項１に記載の工具。
【請求項７】
前記第１のロック機構は、
前記ロック解除位置に前記操作部としてのトリガが係合される第１の係合部を有すると共に、前記ロック位置に前記第２のロック機構が係合される第２の係合部を有するトリガロックレバーを有し、
前記第２のロック機構は、
前記固有情報を設定可能な施錠部と、
前記ロック機構本体に回転可能に支持されると共に複数のダイヤル番号を有するダイヤル輪と、当該ダイヤル輪の前記ダイヤル番号に基づいて設定されるロック解除番号に対応した位置に凹部が設けられたダイヤル輪芯とを含む施錠部と、
前記トリガロックレバーが前記ロック位置に移動したときに、前記施錠部の前記ダイヤル輪芯の前記凹部に嵌合する第１の凸部と前記トリガロックレバーの前記第２の係合部に係合する第２の凸部とを含むロック制御板とを有する
ことを特徴とする請求項１に記載の工具。
【発明の詳細な説明】
【技術分野】
【０００１】
本発明は、エア式釘打機、ガス駆動釘打機、電動工具などの盗難を防止する機能を備えた工具に関する。
【背景技術】
【０００２】
一般に、釘打機は起動用トリガレバーの引き操作によって起動するが、危険を防止するため、さらに釘打機に設けられたコンタクトアームの先端が被打込み材に押し付けられない限り作動しないように構成されている。このように、トリガレバーを引いただけでは作動しないので、不使用時に釘打機を持ち歩くときにも作業者はトリガレバーに指を掛けた状態で移動する傾向が強い。
【０００３】
したがって、この状態で釘打機のコンタクトアームが何らかの部材に当たってコンタクトアームを押し込まれると、釘打機は起動してしまうので、予期しない事故が発生するおそれがある。そのため、釘打機には、不使用時にトリガレバーが作動しないようにロックするトリガロック機構が設けられている（例えば、特許文献１参照）。
【０００４】
特許文献１に開示されるトリガロック機構は、軸状のトリガロックレバーから構成され、トリガの背面側に配置されている。トリガロックレバーの端部にはトリガロックダイヤルがｗｓピンで固定されている。トリガロックダイヤルを回してトリガロックレバーの曲面をトリガに向けると、曲面がトリガロックに係合するのでトリガの引き操作を行えないようにする。一方、トリガロックダイヤルを反対側に回すと、トリガロックレバーの切り欠かれた平面がトリガロックレバーに向き合うので、トリガロックレバーの引き操作を可能にするものである。
【先行技術文献】
【特許文献】
【０００５】
【特許文献１】特開平１０−１４６７８０号公報
【発明の概要】
【発明が解決しようとする課題】
【０００６】
ところで、建築現場においては、工具、特に上述したような釘打機の盗難が増加しており、盗難防止に対するニーズが高まっている。そのため、建築現場においては、例えば、頑丈なチェーン等の締結部材を利用し、その一端を釘打機に巻き付け、その他端を作業現場に設けられたコンクリート柱等に巻き付けることにより、釘打機の盗難防止に対応している。
【０００７】
また、上述したようなコンクリート柱等の固定箇所が作業現場にない場合には、作業中断あるいは作業終了時に、釘打機を保管する保管場所を設け、保管場所に設置された固定箇所に釘打機を巻き付けることにより盗難の防止を図っている。
【０００８】
しかしながら、このような対策をしても、締結部材に上述したチェーンなどを用いた場合には切断器具によりチェーンが切断され、釘打機が持ち去られてしまう場合がある。上記特許文献１に開示される釘打機では、不使用時にトリガをロックすることはできるが、トリガロックダイヤルをロック位置からロック解除位置に回すことによりトリガのロックを解除できるので、正規の所有者以外（盗難者）にもトリガのロックが容易に解除できてしまう。これにより、盗難後に盗難者によりトリガロックが解除されて釘打機が通常に使用されてしまうという問題がある。
【０００９】
そこで、本願発明は、上記課題に鑑みてなされたものであり、所有者にしか解除できないロック機構を備えた工具を提供することを目的とする。
【課題を解決するための手段】
【００１０】
本願発明に係るは、上記課題を解決するために、駆動機構を有した工具本体と、工具本体に設けられて駆動機構を機動する操作部と、操作部の操作を拘束するロック位置および当該操作部の操作を解除するロック解除位置を有して操作部に係合された第１のロック機構と、第１のロック機構の動作を拘束するロック位置および当該第１のロック機構の動作を解除するロック解除位置を有し、かつ、取扱者の固有情報が設定可能な施錠機能を有して第１のロック機構に係合可能に設けられた第２のロック機構とを備え、固有情報が設定されると共に第２のロック機構の施錠機能が解除されるものである。
【００１１】
本発明に係る工具においては、固有情報が設定されると共に解除された第２のロック機構によって、第１のロック機構の動作を解除できるようになる。したがって、固有情報の設定に対応して工具本体に設けられた駆動機構を機動できるので、２重ロック機能により保護された工具を提供できる。また、固有情報は、基本的に所有者が設定するものであって所有者にしか知り得るものではない。そのため、第三者が工具を盗難したとしても施錠部の固有情報が分からないので、施錠部のロックを解除することは困難となる。
【発明の効果】
【００１２】
本発明によれば、取扱者の固有情報が設定可能な第２のロック機構を使用するので、第１のロック機構に加えて２重のロック機能により保護された工具を提供することができる。これにより、第三者はユーザが設定した固有情報を取得できないので、盗難してもトリガのロックを解除することができず、盗難しようとする気を殺ぐこととなり、その結果、盗難抑止効果を向上させることができる。また、本発明によれば、釘打機本体にロック機構を取り付ける構成なので、工具本体には大幅な改造を必要とせずに、盗難防止機構を付加することができる。さらに、ユーザは、鍵を別途持ち歩く必要が基本的にないため、万が一鍵を紛失するなどして工具を使用できなくなることを防ぐことができる。
【図面の簡単な説明】
【００１３】
【図１】本発明の第１の実施の形態に係る釘打機の構成例を示す図である。
【図２】釘打機の構成例を示す断面図である。
【図３】第１のロック機構の構成例を示す斜視図である。
【図４】第１のロック機構の構成例を示す分解斜視図である。
【図５】第２のロック機構の構成例を示す図である。
【図６】第２のロック機構の構成例を示す分解斜視図である。
【図７】トリガをロックする場合の第１および第２のロック機構の動作例を示す図である。
【図８】本発明の第２の実施の形態に係る第１および第２のロック機構の構成例を示す図である。
【図９】トリガをロックする場合の第１および第２のロック機構の動作例を示す図である。
【図１０】本発明の第２の実施の形態の変形例に係るトリガをロックする場合の第１および第２のロック機構の動作例を示す図である。
【図１１】本発明の第３の実施の形態に係る第１および第２のロック機構の構成例を示す図である。
【図１２】トリガをロックおよびロック解除する場合の第１および第２のロック機構の動作例を示す図である。
【図１３】本発明の第３の実施の形態の変形例に係る第１および第２のロック機構の構成例を示す図である。
【図１４】本発明の第４の実施の形態に係る第２のロック機構の構成例を示す図である。
【図１５】第２のロック機構の要部の構成例を示す斜視図である。
【図１６】トリガをロックおよびロック解除する場合の第１および第２のロック機構の動作例を示す図である。
【図１７】釘打機の盗難時における第２のロック機構の動作例を説明するための図である。
【図１８】釘打機の盗難時における第２のロック機構の動作例を示すフローチャートである。
【図１９】本発明の第５の実施の形態に係る電動工具の構成例を示す図である。
【図２０】第２のロック機構の構成例を示す図である。
【図２１】第２のロック機構の構成例を示す図である。
【図２２】釘打機の盗難時における第２のロック機構の動作例を説明するための図である。
【図２３】本発明の第６の実施の形態に係る電動工具の構成例を示す図である。
【図２４】第１および第２のロック機構の構成例を示す図である。
【図２５】閂部材の構成例を示す図である。
【図２６】板ばねの構成例を示す図である。
【図２７】トリガをロックおよびロック解除する場合の第１および第２のロック機構の動作例を示す図である（その１）。
【図２８】トリガをロックおよびロック解除する場合の第１および第２のロック機構の動作例を示す図である（その２）。
【図２９】釘打機の盗難時における第２のロック機構の動作例を説明するための図である。
【図３０】本発明の第７の実施の形態に係るガスネイラの構成例を示す図である。
【図３１】ガス缶をロックする場合の第１および第２のロック機構の動作例を示す図である（その１）。
【図３２】ガス缶をロックする場合の第１および第２のロック機構の動作例を示す図である（その２）。
【図３３】本発明の第８の実施の形態に係る釘打機の構成例を示す図である。
【図３４】第１および第２のロック機構の構成例を示す図である。
【図３５】トリガをロックおよびロック解除する場合の第１および第２のロック機構の動作例を示す図である。
【発明を実施するための形態】
【００１４】
以下、発明を実施するための最良の形態（以下実施の形態とする）について説明する。
＜第１の実施の形態＞
［釘打機の構成例］
図１は釘打機１００の構成の一例を示す図であり、図２は釘打機１００の構成例を示す断面図である。釘打機１００は、工具の一例を構成し、圧縮空気によって作動するもので、図１に示すように、釘打機本体１０とグリップ１２と第１のロック機構９０と第２のロック機構５０とを備えている。釘打機本体１０は、図２に示すように、起動用トリガバルブ１４と操作部の一例を構成するトリガ１６とコンタクトアーム１８とから構成されている。
【００１５】
起動用トリガバルブ１４は、公知のものと同じで、バルブハウジング２０とハウジングキャップ２２とパイロットバルブ２４とバルブステム２６とバネ２８とから構成されている。バルブハウジング２０は、釘打機本体１０に形成された凹部１１に嵌め込まれ、ピン２５により固定されている。バルブステム２６の先端はバネ２８によりトリガ１６側に突出するように付勢されている。起動用トリガバルブ１４は、バルブステム２６を押し込むことにより作動し、メインバルブ（図示せず）に通じるエア通路３０を圧縮空気を貯留したエアチャンバまたは大気に選択的に開くことによってメインバルブを開閉させ、これによって釘打ち込み用打撃機構（図示せず）の作動を制御する。
【００１６】
トリガ１６は、支軸３２に回動自在に支持されているもので、内部には起動用トリガバルブ１４のバルブステム２６に対向する位置にコンタクトレバー３４が軸着されている。なお、トリガ１６は、バネ３６によりバルブステム２６から遠ざかるように付勢されていると共に、単にトリガ１６を引いただけでは、コンタクトレバー３４がバルブステム２６に当接しないように構成されている。また、トリガ１６の支軸３２側の端部には係合片１６ａが形成されている（図５参照）。
【００１７】
コンタクトアーム１８の一端１８ａ（図２の下端）は釘の射出部（図示せず）に沿って配置され、他端（図２の上端）にはＬ字金具４０が取り付けられ、このＬ字金具４０は内部が中空のアームガイド４２によって上下動自在に案内されると共に、Ｌ字金具４０の上端は起動用トリガバルブ１４のコンタクトレバー３４の下面に当接している。アームガイド４２の中空部にはバネ３５が納められ、バネ３５の下端はＬ字金具４０の底面に、上端はアームガイドピン４４に係合している。バネ３５により、コンタクトアーム１８は常時射出部の下方に突出するように付勢されている。
【００１８】
上記構成により、コンタクトアーム１８の下端を被打込み材に押し付けることにより、コンタクトアーム１８がバネ３５に抗して上動し、上端のＬ字金具４０が上方に移動してその垂直片４０ａがコンタクトレバー３４を突き上げた状態でトリガ１６を引くことによって初めてコンタクトレバー３４が起動用トリガバルブ１４のバルブステム２６を押し込み、釘打機を起動させることができる。
【００１９】
［第１のロック機構］
図３（Ａ）および図３（Ｂ）は、第１のロック機構９０の構成例を示す斜視図である。図４は、第１のロック機構９０の構成例を示す分解斜視図である。第１のロック機構９０は、トリガ１６を引けないように固定することにより釘打機１００の作動を不可能にするものであり、釘打機本体１０のトリガ１６の背面側に配置されている。ここで、トリガ１６の背面側の釘打機本体１０にはトリガロックレバー９２を支持する取付片５６，５６が形成され、トリガ１６の背面側であって取付片５６，５６間にはトリガロックレバー９２の中央部を受ける受け部２９が形成されている。
【００２０】
第１のロック機構９０は、トリガロックレバー９２とトリガロックダイヤル９４とから構成されている。トリガロックレバー９２は、図３（Ａ）に示すように、トリガ１６の背面側に形成された取付片５６，５６に回動可能に取り付けられ、トリガ１６の引き操作をロック（拘束）するロック位置とロック位置を解除するロック解除位置とを有する。トリガロックレバー９２は、鋳鉄等の金属材料からなり、軸部９２ａと軸部９２ａの一端に形成された係止部９２ｂと、係止部９２ｂの内側に形成された規制片９２ｆと、軸部９２ａの長手方向の略中央部に形成された切欠部９２ｍ（係合部）とから構成されている。
【００２１】
軸部９２ａの一端部は、トリガロックダイヤル９４の孔形状に対応して略Ｄ形状に切り欠かれ、その切り欠かれた平面部にはカシメピン９６を挿通するためのピン穴９２ｃが形成されている。係止部９２ｂは、取付片５６の外壁面によって係止され、軸部９２ａが取付片５６から離脱することを防止する。規制片９２ｆは、図示しない釘打機本体１０に設けられた止め部に係止されることによりトリガロックダイヤル９４の回転範囲を規制する（図３（Ｂ）矢印）。
【００２２】
切欠部９２ｍは、ロック解除時にトリガ１６に対向した位置に設定されてトリガ１６の係合片１６ａが係合される部位である。本例では、切欠部９２ｍの位置をトリガ１６の引き操作を有効とするロック解除位置とし、切欠部９２ｍ以外の位置をトリガ１６の引き操作を無効とするロック位置とする。
【００２３】
トリガロックダイヤル９４は、鋳鉄等の金属材料からなり、図３（Ｂ）に示すように、トリガロックレバー９２をロック位置に移動させるロック位置ＰＢとトリガロックレバー９２をロック解除位置（フリー）に移動させるロック解除位置ＰＡとを有する。トリガロックダイヤル９４は、軸部９２ａを挿入するための挿入孔９４ｃを有するダイヤル本体部９４ａと、ロック位置およびロック解除位置に回転操作するための操作部９４ｂとから構成されている。挿入孔９４ｃは、軸部９２ａの先端形状に対応して平面視Ｄ形状をなす。ダイヤル本体部９４ａの周面にはカシメピン用のピン孔９４ｄが形成されている。操作部９４ｂは、挿入孔９４ｃとは異なるダイヤル本体部９４ａの周面に一体形成され、ダイヤル本体部９４ａの周面から外方に突出している。
【００２４】
トリガロックダイヤル９４の挿入孔９４ｃには軸部９２ａの一端部が挿入され、アルミニウム等の金属材料からなるカシメピン９６がピン穴９２ｃおよびピン孔９４ｄに挿通される。ピン穴９２ｃに挿通されたカシメピン９６の頭部はかしめられ、軸部９２ａとトリガロックダイヤル９４とが一体化されることで第１のロック機構９０が形成される。
【００２５】
このように構成された第１のロック機構９０は、その軸部９２ａが、操作部９４ｂの延在方向に対して直交すると共に、操作部９４ｂのフリー側の回転方向の側面部に当接するようにまたは近傍に配置されるようにして釘打機本体１０に取り付けられる。
【００２６】
本実施の形態では、第１のロック機構９０を、鋳鉄等の金属材料により構成すると共に、カシメピン９６によりかしめて軸部９２ａとトリガロックダイヤル９４と一体化することにより構成している。そのため、樹脂材料などにより第１のロック機構９０を構成する場合と比較して、トリガロックダイヤル９４の分解を困難とすることができる。
【００２７】
［第２のロック機構］
図５（Ａ）は第２のロック機構５０の構成例を示す上面図であり、図５（Ｂ）はその正面図であり、図５（Ｃ）はその側面図であり、図５（Ｄ）はその断面図である。図６は、第２のロック機構５０の構成例を示す分解斜視図である。
【００２８】
第２のロック機構５０は、トリガロックダイヤル９４をロック位置ＰＢにロック（拘束）するものであり、トリガロックダイヤル９４近傍の釘打機本体１０表面に取り付けられている。第２のロック機構５０は、施錠部の一例を構成するダイヤル錠１３０と閂部材７４とを備えている。ダイヤル錠１３０は、錠本体１３８とダイヤル輪１３２とから構成されている。
【００２９】
錠本体１３８は細長の直方体状をなし、その長手方向の両端部のそれぞれがカシメピンやトルクスねじなどの締結部材により釘打機本体１０に固定して取り付けられている。このような特殊な締結部材を用いて釘打機本体１０に取り付けることにより、第２のロック機構５０を釘打機本体１０から容易に解体できないようにする。錠本体１３８には、ダイヤル輪１３２を取り付けるための取付部１３８ａが形成されている。本例では、３個のダイヤル輪１３２が設けられるので、これに応じて３箇所の取付部７２ａが設けられる。錠本体１３８の内部には、閂部材７４を移動可能に収容するための収容部１３８ｂが設けられている。この収容部１３８ｂの前後方向には、閂部材７４の移動方向を規制するための係止部１３８ｃが設けられ、閂部材７４の拡径部７４ｃが係止部７２ｃに引っ掛かることにより閂部材７４の錠本体１３８からの脱落を防止する。
【００３０】
ダイヤル輪１３２は、錠本体１３８内部の閂部材７４に回転可能に外装されて錠本体１３８の取付部１３８ａに取り付けられている。本例では、３桁のロック解除番号（固有情報）に対応して３個のダイヤル輪１３２が設けられ、各ダイヤル輪１３２の周面にはその周方向に沿って図示しない複数のダイヤル番号が表記されている。ダイヤル輪１３２のロック解除番号に設定されたダイヤル番号の裏面位置（内周面）には、閂部材７４の突起部７４ｂがスライド可能に嵌合される切欠部１３２ｂが形成されている。
【００３１】
閂部材７４は、軸状部材であって、錠本体１３８内部に移動可能に収容されている。なお、閂部材７４は、その軸周り（周方向）に回転しないように錠本体１３８内部に固定されている。閂部材７４の中央部には両端側の径よりも拡径された拡径部７４ｃが設けられ、この拡径部７４ｃの周面にはロック解除時にダイヤル輪１３２の切欠部１３２ｂに嵌合する複数の突起部７４ｂが形成されている。本例では、３桁のロック解除番号に応じて３個の突起部７４３がダイヤル輪１３２に対応した位置に形成されている。
【００３２】
閂部材７４は、トリガロックダイヤル９４のロック時に、ロック位置ＰＢに位置するトリガロックダイヤル９４の操作部９４ｂの延在方向に直交し、その先端部７４ａが操作部９４ｂのロック解除側の側面部に当接または近接する位置に配置される。言い換えれば、閂部材７４は、トリガロックダイヤル９４がロック解除方向に回転するときに描く回転軌道ＯＲの内側であって、操作部９４ｂに交差する位置に移動してロックされる。
【００３３】
［第１および第２のロック機構の動作例］
（トリガをロックする場合）
図７は、トリガ１６をロックする場合の第１のロック機構９０および第２のロック機構５０の動作例を示す図である。ユーザは、釘打機１００を使用しない場合、図７（Ａ）および図７（Ｂ）に示すように、トリガロックダイヤル９４をロック解除位置ＰＡからロック位置ＰＢに回す。この操作により、トリガロックレバー９２もトリガ１６と係合するロック解除位置からトリガ１６と係合しないロック位置に回転する。
【００３４】
続けて、ユーザは、図７（Ｃ）に示すように、ダイヤル輪１３２をロック解除番号に合わせる。これに伴い、閂部材７４の突起部７４ｂとダイヤル輪１３２の切欠部１３２ｂとが同一平面上に配置されてダイヤル錠１３０のロックが解除される。ダイヤル錠１３０の解除により閂部材７４が移動可能となるので、ユーザは、図７（Ｄ）に示すように、閂部材７４の先端部７４ａをトリガロックダイヤル９４の操作部９４ｂの側面部に当接させるかまたはその近傍まで移動させる。
【００３５】
この状態で、図７（Ｅ）に示すように、ダイヤル錠１３０の３個のダイヤル輪１３２をロック解除番号以外に合わせてダイヤル錠１３０をロックし、閂部材７４の先端部７４ａをトリガロックダイヤル９４の操作部９４ｂに当接等させた位置で固定する。このような動作により、トリガロックダイヤル９４をロック解除側に回すことを不能として、トリガ１６を引けないようにロックする。
【００３６】
（トリガを解除する場合）
ユーザは、上述したトリガ１６をロックする場合の動作と逆の動作を行う。ダイヤル錠１３０を操作してロック解除番号に合わせてダイヤル錠１３０のロックを解除する。そして、閂部材７４を後退させてその先端部７４ａをトリガロックダイヤル９４の回転軌道ＯＲの外側の位置まで移動させる。
【００３７】
この状態で、３個のダイヤル輪１３２を任意のロック解除番号以外に合わせてダイヤル錠１３０をロックし、閂部材７４の先端部７４ａをトリガロックダイヤル９４の回転軌道ＰＲの外側となる位置で固定する。そして、トリガロックダイヤル９４をロック位置ＰＢからロック解除位置ＰＡに回転させることにより、図３（Ａ）に示すように、トリガロックレバー９２がロック位置となるのでトリガ１６の引き操作を行えるようになる。
【００３８】
以上説明したように、本実施の形態によれば、ユーザのロック解除番号（固有情報）が設定可能な第２のロック機構５０を採用しているので、第１のロック機構９０および第２のロック機構５０による２重のロック機能で保護された釘打機１００を提供することができる。これにより、第三者は、ユーザが設定したロック解除番号を基本的には取得できないので、盗難してもトリガ１６のロックを解除することができず、盗難しようとする気を殺ぐこととなり、その結果、盗難抑止効果を向上させることができる。
【００３９】
また、釘打機本体１０に第２のロック機構５０を取り付ける構成なので、釘打機本体１０には大幅な改造を必要とせずに、盗難防止機構を付加することができる。また、ユーザは、鍵を別途持ち歩く必要が基本的にないため、万が一鍵を紛失するなどして工具を使用できなくなることを防ぐことができる。
【００４０】
また、第２のロック機構５０は着脱可能な構成とされているので、作業終了時等の不使用時に第２のロック機構５０を設置し、作業時等の使用時に第２のロック機構５０を釘打機本体１０から取り外すことができる。そのため、作業中には、第２のロック機構５０が邪魔とならず、円滑に作業を行うことが可能となる。
【００４１】
さらに、第２のロック機構５０が破壊されて盗難され、その後、盗難された釘打機１００をメーカーや販売店に修理依頼した場合には、メーカー等は破損状況により釘打機１００が盗難品である可能性が高いと判断できるので、もとの所有者に知らせることが可能となる。なお、第２のロック機構５０の取付位置は、上述した位置に限定されるものではなく、トリガ１６の操作の邪魔とならない位置であれば適宜採用することができる。
【００４２】
＜第２の実施の形態＞
第２の実施の形態では、押し込み式の第１のロック機構２９０を採用し、トリガロックダイヤル９４を押し込んだ状態で閂部材７４により栓をすることでトリガ１６をロックする例について説明する。なお、上記第１の実施の形態で説明した釘打機１００および第１および第２のロック機構９０，５０と共通する構成要素には同一の符号を付し、詳細な説明は省略する。
【００４３】
［第１および第２のロック機構の構成例］
図８（Ａ）および図８（Ｂ）は、第１のロック機構２９０および第２のロック機構２５０の構成例を示す図である。釘打機２００は、トリガ１６のロックおよびロック解除を行うための第１のロック機構２９０および第２のロック機構２５０を備えている。
【００４４】
釘打機２００は、第１のロック機構２９０と第２のロック機構２５０とシャッター部材６８とレール部６９とを備えている。第１のロック機構２９０を構成するトリガロックレバー９２は、トリガ１６の背面側に配置され、釘打機本体１０に形成された取付片５６，５６に回転可能に取り付けられている。
【００４５】
トリガロックレバー９２の一端部には取付片５６およびばね６４を介してキャップ６６が取り付けられている。トリガロックレバー９２の他端部には取付片５６を介してトリガロックダイヤル９４が取り付けられ、ばね６４により取付片５６から引き出された（離れた）位置で維持される。はね６４は引っ張りばねからなり、一端が取付片５６に固定され、他端がキャップ６６に取り付けられている。
【００４６】
トリガロックダイヤル９４を操作する場合には、トリガロックダイヤル９４をキャップ６６側に押し込んでロック位置ＰＢ、またはロック解除位置ＰＡに回す（図３（Ｂ）参照）。操作後には、トリガロックダイヤル９４がばね６４の弾性力により、トリガロックダイヤル９４が取付片５６から引き出された位置に戻り、トリガロックダイヤル９４がロックされる。
【００４７】
第２のロック機構２５０は、トリガロックダイヤル９４を押し込んだ位置で固定するものであり、トリガロックダイヤル９４の周縁近傍に取り付けられている。閂部材７４は、トリガロックダイヤル９４のロック時に、トリガロックダイヤル９４と平面的に重なる位置に移動してダイヤル錠１３０により固定され、トリガロックダイヤル９４が押し込まれた位置から引き出された位置に戻らないように栓をする。
【００４８】
レール部６９は、シャッター部材６８をスライドさせるためのガイド部材であって、トリガロックダイヤル９４の第２のロック機構２５０が設けられた側とは反対側の周縁部に取り付けられている。レール部６９は、例えば２本で構成され、トリガロックダイヤル９４に向かってその近傍まで延在している。レール部６９のトリガロックダイヤル９４を介した反対側には、シャッター部材６８のスライドを止めるためのストッパ部７６が設けられている。
【００４９】
シャッター部材６８は、トリガロックダイヤル９４の全体を覆うことが可能な大きさを有する矩形状の平板部材からなり、レール部６９にスライド可能に取り付けられている。なお、シャッター部材６８は、ロック時に閂部材７４と接触しないように、本例では閂部材７４よりも釘打機本体１０に近接した位置に設けられる。
【００５０】
［第１および第２のロック機構の動作例］
（トリガをロックする場合）
図９（Ａ）〜図９（Ｃ）は、トリガ１６をロックする場合の第１のロック機構２９０および第２のロック機構２５０の動作例を示す図である。まず、ユーザは、図９（Ａ）および図９（Ｂ）に示すように、トリガロックダイヤル９４を取付片５６に押し込んで（埋め込んで）ロック位置ＰＢに回し、トリガロックレバー９２をロック位置に設定する。この押し込み操作により、キャップ６６が取付片５６から離れる方向に移動してトリガロックレバー９２の一端側のばね６４が伸張する。
【００５１】
次に、図９（Ｃ）に示すように、トリガロックダイヤル９４を押し込んだ状態で、シャッター部材６８をスライドさせてトリガロックダイヤル９４の全体を被覆する。シャッター部材６８は、シャッター部材６８の進行方向の前方に設けられたストッパ部７６により、トリガロックダイヤル９４の全体を覆った位置で停止する。
【００５２】
続けて、ダイヤル錠１３０をロック解除番号を合わせてロックを解除し、閂部材７４をその先端部７４ａがトリガロックダイヤル９４の外面を通過する位置まで移動させる。そして、ダイヤル錠１３０をロック解除番号以外に合わせてダイヤル錠１３０をロックし、閂部材７４をトリガロックダイヤル９４に至るロック位置で固定する。これにより、トリガロックダイヤル９４は押し込まれた位置で固定されるので、トリガロックダイヤル９４の操作を不可能とすることができる。
【００５３】
（トリガのロックを解除する場合）
ロックを解除する場合には、上述したロック手順とは逆の手順を行う。ユーザは、ダイヤル錠１３０を操作してロック解除番号に合わせてダイヤル錠１３０のロックを解除する。そして、閂部材７４を後退させてその先端部７４ａがトリガロックダイヤル９４と平面的に重ならない位置まで移動させる。続けて、シャッター部材６８も同様にトリガロックダイヤル９４と重ならない位置まで退避させる。これにより、ばね６４の収縮力によりトリガロックダイヤル９４が元の引き出された位置に戻り、トリガロックダイヤル９４の操作が可能となり、トリガ１６の引き操作を行えるようになる。なお、シャッター部材６８を設けずに、閂部材７４だけでトリガロックダイヤル９４をロックしても良い。この場合、閂部材７４をトリガロックダイヤル９４に平面的に重なる位置に移動させて閂部材７４をトリガロックダイヤル９４に当接させることによりトリガロックダイヤル９４をロックする。
【００５４】
＜第２の実施の形態の変形例＞
上述した第２の実施の形態では、閂部材７４によりトリガロックダイヤル９４側をロックしたが、トリガロックレバー９２のキャップ６６側をロックしても良い。この場合、第２のロック機構２５０は、上記第２の実施の形態で説明した第２のロック機構２５０の取付位置に対して釘打機本体１０の反対側の面に取り付けられる。
【００５５】
（トリガをロックする場合）
図１０（Ａ）および図１０（Ｂ）は、トリガ１６をロックする場合の第１のロック機構２９０および第２のロック機構２５０の動作例を示す図である。まず、ユーザは、図１０（Ａ）に示すように、トリガロックダイヤル９４を取付片５６に押し込んで（埋め込んで）ロック位置に回し、トリガロックレバー９２をロック位置に設定する。この押し込み操作により、キャップ６６が取付片５６から引き出された位置となると共に、トリガロックレバー９２の一端側のばね６４が伸張する。
【００５６】
トリガロックレバー９２をロック位置に設定したら、ユーザは、トリガロックダイヤル９４から指を離し、図１０（Ｂ）に示すように、トリガロックダイヤル９４を押し込んだ位置から引き出し位置に戻す。続けて、ダイヤル錠１３０をロック解除番号を合わせてロックを解除し、閂部材７４をその先端部７４ａがキャップ６６を通過する位置まで移動させる。そして、ダイヤル錠１３０をロック解除番号以外に合わせてロックし、閂部材７４がトリガロックダイヤル９４と平面的に重なるロック位置で固定する。これにより、トリガロックダイヤル９４は引き出された位置で固定されるので、押し込み操作ができなくなり、その結果、トリガロックダイヤル９４の操作を不可能とすることができる。
【００５７】
（トリガのロックを解除する場合）
ロックを解除する場合には、上述したロック手順とは逆の手順を行う。ダイヤル錠１３０を操作してロック解除番号に合わせてダイヤル錠１３０のロックを解除する。そして、閂部材７４を後退させてその先端部７４ａがキャップ６６と平面的に重ならない位置まで移動させる。これにより、トリガロックダイヤル９４の押し込み操作が可能となるので、トリガ１６の引き操作を行えるようになる。なお、上述したシャッター部材６８を設けても良い。
【００５８】
＜第３の実施の形態＞
第３の実施の形態では、上記第１および第２の実施形態で説明した第２のロック機構５０，２５０とは異なる構成を採用した第２のロック機構３５０を採用した場合について説明する。なお、上記第１の実施の形態で説明した釘打機１００および第１および第２のロック機構９０，５０と共通する構成要素には同一の符号を付し、詳細な説明は省略する。
【００５９】
［第２のロック機構の構成例］
図１１（Ａ）および図１１（Ｂ）は、第１のロック機構３９０および第２のロック機構３５０の構成例を示す図である。釘打機３００は、トリガ１６のロックおよびロック解除を行うための第１のロック機構３９０および第２のロック機構３５０を備えている。ここで、図１１（Ｂ）に示すように、第２のロック機構３５０が取り付けられる取付片５６には、その厚み方向に貫通する貫通孔５６ｂが形成され、この貫通孔５６ｂの孔周面には後述するロック制御板１１２の突起部１１２ｂを係止するための突起部５６ａが形成されている。
【００６０】
第２のロック機構３５０は、ロック機構本体の一例を構成するロック機構ケース１１０とロック制御板１１２とロック制御板押えばね１１４とダイヤル錠１３０とを有している。ロック機構ケース１１０は、金属材料や樹脂材料からなり釘打機本体１０との対向面側が開口された箱体であって、その内部にはロック制御板１１２、ロック制御板押えばね１１４およびダイヤル錠１３０が収容されている。このロック機構ケース１１０は、釘打機本体１０に着脱可能に取り付ける構成としても良いし、釘打機本体１０に一体形成しても良い。
【００６１】
ロック制御板１１２は、細長の平板部材であって、トリガロックダイヤル９４をロックしたり、そのロック解除を行うものである。ロック制御板１１２のトリガロックダイヤル９４との対向面側の一端部には、ダイヤル輪芯１３４に形成された凹部１３４ａに嵌合可能な突起部１１２ａが形成されている。突起部１１２ａは、第１の凸部の一例を構成し、凹部１３４ａから離脱可能なように例えば角部が湾曲している。ロック制御板１１２の対向面側の他端部には、取付片５６に形成された突起部５６ａに係合可能な突起部１１２ｂが形成されている。これにより、第２のロック機構３５０が外側方向に引っ張られたとしても、突起部５６ａに突起部１１２ｂが引っ掛かるので、ロック時に第２のロック機構３５０が釘打機本体１０から取り外されることを防止できる。
【００６２】
ロック制御板１１２の対向面側の略中央部から他端側にずれた位置には、トリガロックダイヤル９４の操作部９４ｂの回転動作をロックするためのロック部１１２ｃが形成されている。ロック部１１２ｃは第２の凸部の一例を構成する。ロック時には、ロック部１１２ｃが操作部９４ｂのロック解除側の回転軌道ＯＲ内に移動するので（図３（Ｂ）参照）、トリガロックダイヤル９４をロック解除側に回すと操作部９４ａがロック部１１２ｃに引っ掛かり（障害となり）、トリガロックダイヤル９４の操作を不能とすることができる。
【００６３】
ロック制御板１１２の対向面側の略中央部には一端がロック機構ケース１１０の壁面部に取り付けられたロック制御板押えばね１１４が取り付けられている。ロック制御板１１２は、このロック制御板押えばね１１４によりトリガロックダイヤル９４側に付勢される。
【００６４】
ダイヤル錠１３０は、ダイヤル輪１３２とダイヤル輪芯１３４とを有している。ダイヤル輪芯１３４の周面には、ロック制御板１１２の突起部１１２ａが嵌合可能な凹部１３４ａが形成されている。凹部１３４ａは、ダイヤル輪１３２をロック解除番号に設定したときに、ロック制御板１１２の突起部１１２ａに嵌合する位置に形成される。ここで、ロック解除番号は、任意の番号の設定が可能となっている。例えば番号設定サポート棒により図示しないリセットボタンを押し、ダイヤル輪芯の３個の凹部１３４ａがロック制御板１１２の突起部１１２ａと嵌合している状態を保ちながら、ダイヤル輪を回して任意のロック解除番号を設定する。
【００６５】
なお、上述した第２のロック機構３５０は、トリガロックダイヤル９４側ではなく、トリガロックレバー９２の他端側のキャップ１２４側に取り付けることもできる。この場合、トリガロックダイヤル９４と同様にキャップ１２４にもキャップ１２４の周面から突出する突起部を設け、この突起部近傍にロック制御板１１２のロック部１１２ｃが位置するように、第２のロック機構３５０を取付片５６に取り付ける。
【００６６】
［ロックおよびロック解除時の動作例］
（トリガをロックする場合）
図１２（Ａ）〜図１２（Ｃ）は、トリガ１６をロックする場合の第１のロック機構３９０および第２のロック機構３５０の動作例を示す図である。釘打機３００を使用しない場合、ユーザは、トリガロックダイヤル９４をロック解除位置ＰＡからロック位置ＰＢに回して、図１２（Ａ）に示すように、トリガロックレバー９２をロック解除位置からロック位置に回転させる。そして、ダイヤル錠１３０の３個のダイヤル輪１３２をロック解除番号以外に合わせて、図１２（Ａ）に示すように、ロック制御板１１２の突起部１１２ａをダイヤル輪芯１３４の凹部１３４ａと噛み合わない位置まで移動させる。
【００６７】
これに伴い、ロック制御板１１２の突起部１１２ａ側がダイヤル輪芯１３４の凹部１３４ａ以外の周面部によって押し上げられるので、ロック制御板１１２の突起部１１２ｂ側がトリガロックダイヤル９４に近接する方向に傾動する。ロック制御板１１２のロック部１１２ｃは、トリガロックダイヤル９４のロック解除側の操作部９４ｂ側面に当接または近接した位置に移動する。また、ロック制御板１１２の突起部１１２ｂは、取付片５６の突起部５６ａによって係止される。これにより、トリガロックダイヤル９４をロック解除側に回転させる場合には、突起部１１２ｂが障害となるので、トリガロックダイヤル９４の操作ができなくなり、トリガ１６の引き操作をロックすることができる。
【００６８】
（ロック解除時）
釘打機３００を使用する（作業を始める）場合、ユーザは、ダイヤル錠１３０の３個のダイヤル輪１３２をロック解除番号に合わせて、ロック制御板１１２の突起部１１２ａをダイヤル輪芯１３４の凹部１３４ａに嵌合させる。この嵌合に伴って、ロック制御板押えばね１１４が弾性力により元の状態に戻るので、ロック制御板１１２が図１２（Ｂ）に示すように傾斜姿勢から水平姿勢に戻る。つまり、ロック制御板１１２の突起部１１２ｂがトリガロックダイヤル９４から離反する方向に移動する。これにより、ロック制御板１１２のロック部１１２ｃがトリガロックダイヤル９４の操作部９４ｂの回転軌道ＯＲから外れた位置に移動するので、トリガロックダイヤル９４の操作が可能となる。
【００６９】
そして、トリガロックが解除された状態で、図１２（Ｃ）に示すように、第２のロック機構３５０を釘打機本体１０から取り外す。これにより、作業中において、第２のロック機構３５０が作業の邪魔になることもない。作業中断や作業終了時には、再び第２のロック機構３５０を釘打機本体１０に取り付けて、上述した操作を行うことでトリガ１６をロックすることができる。
【００７０】
＜第３の実施の形態の変形例＞
本変形例では、上記第３の実施の形態の第２のロック機構３５０を用い、第２のロック機構３５０のロック機構ケース１１０が障害となることによりトリガロックダイヤル９４の操作を不能とする例について説明する。なお、上記第３の実施の形態で説明した釘打機３００および第１および第２のロック機構３９０，３５０と共通する構成要素には同一の符号を付し、詳細な説明は省略する。
【００７１】
図１３（Ａ）および図１３（Ｂ）は、第１のロック機構３９０および第２のロック機構３５０の構成例を示す図である。第２のロック機構３５０は、トリガロックダイヤル９４のロック解除側の回転軌道ＯＲの内側であって、トリガロックダイヤル９４の操作部９４ｂの側面部にロック機構ケース１１０の外面が当接可能な位置に取り付けられている。ロック制御板１１２の突起部１１２ｂは、トリガロックダイヤル９４の近傍に形成された貫通孔５６ｂの突起部５６ａに係合可能とされ、第２のロック機構３５０が釘打機本体１０にロック可能な構成とされている。
【００７２】
トリガ１６をロックする場合には、ダイヤル錠１３０の３個のダイヤル輪１３２をロック解除番号以外に合わせると、ロック制御板１１２の突起部１１２ｂが突起部５６ａに係止され、第２のロック機構３５０が釘打機本体１０にロックされる。この状態において、トリガロックダイヤル９４をロック解除側に回すと、操作部９４ａがロック機構ケース１１０の外面に当たり、トリガロックダイヤル９４のロック解除側への回転が規制される。このように、本実施の形態によれば、第２のロック機構３５０のロック機構ケース１１０が障害となるので、トリガロックダイヤル９４の操作を不能とすることができ、その結果トリガ１６の引き操作をロックできる。
【００７３】
＜第４の実施の形態＞
第４の実施の形態では、上記第１および第２の実施形態で説明した第２のロック機構５０，２５０，３５０とは異なる構造を有する第２のロック機構４５０を採用した場合について説明する。
【００７４】
［第２のロック機構の構成例］
図１４は、第４の実施の形態に係る第２のロック機構４５０の構成例を示す図である。図１５は、第２のロック機構４５０の要部の構成例を示す図である。第２のロック機構４５０は、トリガロックダイヤル９４のロックおよびロック解除を行うものであり、トリガロックダイヤル９４の全体を覆うようにして釘打機本体１０に着脱可能に取り付けられる。第２のロック機構４５０は、ダイヤル錠３０２と閂部材３０４とロックプレート３０６と制御基板３１４とセンサ部３１６とバッテリー３２０とスピーカ３２２とロック機構ケース３２４とを備えている。
【００７５】
ロック機構ケース３２４は、金属材料や樹脂材料からなる箱体であって、その内部には上述したダイヤル錠３０２等が収容されている。ロック機構ケース３２４の釘打機本体１０と対向する面には、取り付け時にトリガロックダイヤル９４を収容するための開口部３２４ａが形成されている。ロック機構ケース３２４の対向面側の端部には、釘打機本体１０に設けられた凹部１０ａに嵌合する凸部３２４ｂが形成されている。凸部３２４ｂは、第２のロック機構４５０を釘打機本体１０に取り付ける際の位置合わせや第２のロック機構４５０を釘打機本体１０に固定する部材として機能する。
【００７６】
ダイヤル錠３０２は、上述した３個のダイヤル輪３０１を有するダイヤル形式の施錠装置であって、ロック機構ケース３２４の側面部にダイヤル輪３０１の一部を露出させるようにして取り付けられている。
【００７７】
閂部材３０４は、例えば導電材料からなり、頭部３０４ａと軸部３０４ｂと分岐部３０４ｃとから構成されている。軸部３０４ｂは、頭部３０４ａから３個のダイヤル輪３０１の軸心部（中心）を貫通するようにして延在しており、ダイヤル錠３０２のロックおよびロック解除に応じて上下方向に移動可能となっている。分岐部３０４ｃは、軸部３０４ｂの上端部から下方に向かって略Ｌ字状に分岐しており、その先端部のスイッチ部３１８と対向する側（外側）にはスイッチ部３１８の導通状態を切り換えるための切り換え部３０４ｇが設けられている。切り換え部３０４ｇは、上述したように導電材料からなり、例えば分岐部３０４ｃから半円形状に突出している。
【００７８】
ロックプレート３０６は、側面形状が略Ｌ字状をなす平板部材であって、その上端部に設けられた軸取付部３０６ａと軸取付部３０６ａよりも若干下方に設けられた突起部３０６ｅと下端部に設けられたロック片３０６ｃとを有する。ロックプレート３０６の下端部のダイヤル錠３０２側の面には、一端部がロック機構ケース３２４の内壁面に取り付けられた圧縮ばね３１２が取り付けられ、ロックプレート３０６の下端部がダイヤル錠３０２とは反対方向に付勢されている。
【００７９】
軸取付部３０６ａにはロック機構ケース３２４の内壁面に回動可能に取り付けられた軸部３０５が固着されており、ロックプレート３０６はその上端部を支点として回動可能となっている。閂部材３０４（分岐部３０４ｃ）は、下方に移動したときに突起部３０６ｅをダイヤル錠３０２側に押圧することで圧縮ばね３１２に抗してロックプレート３０６を垂直姿勢に移動させ、上方に移動したときに押圧を解除して圧縮ばね３１２の弾性力によりロックプレート３０６を傾斜姿勢とさせる。ロック片３０６ｃは、ロックプレート３０６の傾斜時にトリガロックダイヤル９４の裏面と釘打機本体１０の表面との隙間部Ｓに挿入され、第２のロック機構４５０を釘打機本体１０にロックする。
【００８０】
センサ部３１６は、トリガロックダイヤル９４の上面に取り付けられたマグネット３２６と対向した開口部３２４ａの外壁面に取り付けられている。センサ部３１６は、トリガロックダイヤル９４に取り付けられたマグネット３２６からの磁力を検出し、検出した磁力に基づく測定値（距離情報）を制御基板３１４に供給する。
【００８１】
制御基板３１４は、全体の動作を制御するＭＰＵ(Micro Processing Unit)および所定のプログラムや磁力の正常値等を記憶するＲＯＭ(Read Only Memory)等を有している。ここで、正常値とは、第２のロック機構４５０をトリガロックダイヤル９４に取り付けたときの、第２のロック機構４５０のセンサ部３１６とトリガロックダイヤル９４のマグネット３２６との距離Ｘである。制御基板３１４は、センサ部３１６から供給される検出値に基づいて第２のロック機構４５０がロック状態において釘打機本体１０から取り外されたか否かを判断し、判断結果に応じて音声信号を生成してスピーカ３２２に供給する。
【００８２】
スピーカ３２２は、音出力部の一例を構成し、制御基板３１４およびバッテリー３２０に電気的に接続されている。このスピーカ３２２は、第２のロック機構４５０の異常を検出したときに制御基板３１４から供給される音声信号に基づいてブザー音や音声を出力する。
【００８３】
スイッチ部３１８は、閂部材３０４の上下移動に伴って閂部材３０４の切り換え部３０４ｇによりオン／オフが切り換えられ、オンに切り換えられたときに電気的に接続されるバッテリー３２０に切換信号を供給する。
【００８４】
バッテリー３２０は、制御基板３１４およびスピーカ３２２に電気的に接続されると共にロック機構ケース３２４に着脱可能に取り付けられ、スイッチ部３１８から供給される切換信号に基づいて制御基板３１４およびスピーカ３２２のそれぞれに電力を供給する。
【００８５】
［第２のロック機構の動作例］
（釘打機の不使用時）
図１６（Ａ）および図１６（Ｂ）は、トリガ１６をロックする場合の第２のロック機構４５０の動作例を示す図である。釘打機４００を使用しない場合、ユーザは、トリガロックダイヤル９４をロック解除位置ＰＡからロック位置ＰＢに回して、トリガロックレバー９２をロック解除（フリー）位置からロック位置に回転させる。トリガロックダイヤル９４をロック位置に設定したら、図１６（Ａ）に示すように、第２のロック機構４５０をトリガロックダイヤル９４に覆うようにして釘打機本体１０に押し当てる。このとき、ロック機構ケース３２４の凸部３２４ｂを釘打機本体１０の凹部１０ａに嵌合させることにより、第２のロック機構４５０を簡単に位置合わせすることができる。
【００８６】
そして、ダイヤル錠３０２の３個のダイヤル輪１３２をロック解除番号に合わせてロックを解除し、図１６（Ｂ）に示すように、閂部材３０４の頭部３０４ａを上方に引っ張る。すると、分岐部３０４ｃがロックプレート３０６の突起部３０６ｅから離れるため、圧縮ばね３１２の弾性力によりロックプレート３０６の下端部がトリガロックダイヤル９４側に付勢され、ロックプレート３０６のロック片３０６ｃがトリガロックダイヤル９４の裏面と釘打機本体１０の表面との隙間部Ｓに挿入される。
【００８７】
この状態で、ダイヤル錠３０２の３個のダイヤル輪１３２をロック解除番号以外に合わせてダイヤル錠３０２をロックし、閂部材３０４が上方に押し上げられた位置で固定する。また、分岐部３０４ｃの上方への移動により、スイッチ部３１８がスイッチ押下部３０６ｄにより押下されてセンサ機能がオン状態に切り換えられる。
【００８８】
これにより、第２のロック機構４５０が上方に引っ張られたとしても、ロックプレート３０６のロック片３０６ｃがトリガロックダイヤル９４の裏面に引っかかった状態となるので、第２のロック機構４５０をトリガロックダイヤル９４にロックすることができ、第三者がトリガロックダイヤル９４を操作できないようにすることができる。
【００８９】
（釘打機の使用時）
釘打機４００を使用して作業を始める場合、第２のロック機構４５０をトリガロックダイヤルから取り外す作業が必要となる。まず、ユーザは、ダイヤル錠１３０の３個のダイヤル輪１３２をロック解除番号に合わせてロックを解除し、閂部材３０４の頭部３０４ａを下方に押し下げる。すると、閂部材３０４の分岐部３０４ｃの内側がロックプレート３０６の突起部３０６ｅをダイヤル錠３０２側に押圧するようにして下方に移動する。
【００９０】
閂部材３０４の下方への移動により、ロックプレート３０６は、図１６（Ａ）に示すように、圧縮ばね３１２に抗して傾斜した姿勢から起立した姿勢となり、ロック片３０６ｃがトリガロックダイヤル９４と釘打機本体１０との隙間部Ｓから離脱する。これにより、第２のロック機構４５０によるロックが解除され、第２のロック機構４５０をトリガロックダイヤル９４から取り外してトリガロックダイヤル９４を操作できる。
【００９１】
（第２のロック機構の破損時）
図１７および図１８は、釘打機３００の盗難時における第２のロック機構４５０の動作例を示す図である。ステップＳ１０でセンサ部３１６は、トリガ１６がロックされてセンサ機能がオン状態に切り換えられると、図１７に示すように、釘打機本体１０側のマグネット３２６の磁力を検出する。センサ部３１６は、距離Ｘに応じた磁力を検出し、検出した磁力に基づく検出値を制御基板３１４に供給する。
【００９２】
ステップＳ２０で制御基板３１４は、センサ部３１６から供給された検出値とＲＯＭに予め記憶されている正常値とを比較し、検出値が正常値よりも低いか否かを判断する。本例では、トリガロック状態において第２のロック機構４５０が無理やり釘打機本体１０から取り外されると、センサ部３１６とマグネット３２６との距離Ｘが離れて磁力も小さくなるので、検出値が正常値よりも低いと判断してステップＳ３０に進む。一方、検出値が正常値よりも低くないと判断した場合にはステップＳ１０に戻る。
【００９３】
ステップＳ３０でスピーカ３２２は、制御基板３１４から供給された音声信号に基づいてブザー音や音声等を出力する。ブザー音等は一定期間だけ出力するようにしても良いし、連続して出力するようにしても良い。これにより、ユーザは、釘打機４００から離れた位置にいても、ブザー音等を聞くことにより、第２のロック機構４５０が釘打機本体１０から取り外されたことを知ることができる。また、ユーザが釘打機４００の近辺にいないときでも、ブザー音を聞いた第三者が何らかの不審な行為があったものとして監視を行うことができる。
【００９４】
上述した例では、マグネット３２６の磁力を検出することにより、第２のロック機構４５０の破損、取り外しを検知したが、これに限定されることはない。たとえば、センサ部３１６をレーザダイオードおよびフォトダイオードにより構成し、レーザダイオードから射出されてトリガロックダイヤル９４表面で反射されたレーザ光をフォトダイオードにより検知して反射時間、反射率を計測することにより、第２のロック機構４５０の破損等を判断することもできる。また、センサ部３１６を電極により構成し、トリガロックレバーとの間に生じる静電容量の変化を検出することにより、第２のロック機構４５０の破損等を判断することもできる。さらに、遠赤外線により熱量を検出することにより第２のロック機構４５０の破損等を判断することもできる。
【００９５】
＜第５の実施の形態＞
次に、上記第４の実施の形態で説明した第２のロック機構４５０を電動工具５００に適用した例について説明する。なお、上記第４の実施の形態で説明した第１および第２のロック機構４９０，４５０と共通する構成要素には同一の符号を付し、詳細な説明は省略する。
【００９６】
［電動工具の構成例］
図１９は、電動工具５００の構成例を示す図である。電動工具５００は、工具の一例を構成し、胴体部５０８と、その後部より下方に延設されるグリップ部５０４と、グリップ部５０４の下部に設けられたバッテリーを収納するためのバッテリパック５０６とを備えている。バッテリパック５０６とグリップ部５０４との間には、バッテリーの通電状態を切り換えるための第２のロック機構５５０が設けられている。第２のロック機構５５０の取り付け位置は、バッテリーの通電を切り換えることが可能な位置であれば、上述した位置に限定されることはない。
【００９７】
電動工具５００の第２のロック機構５５０の取り付け位置には、後述する図２０（Ａ）に示すように、第２のロック機構５５０側のロックプレート３０６が嵌合される第１のロック部５００ａおよび第２のロック機構５５０側の凸部３２４ｂが嵌合される第２のロック部５００ｂが設けられている。電動工具５００内部には電動工具５００の通電状態を切り換える（オン／オフ）ための電源スイッチ部５０２が設けられ、その上方には後述する閂部材３０４が挿脱可能な挿脱穴５００ｄが穿設されている。
【００９８】
［第２のロック機構の構成例］
図２０および図２１は、第２のロック機構５５０の構成例を示す図である。第２のロック機構５５０は、ロック機構ケース３２４とダイヤル錠３０２と閂部材３０４とロックプレート３０６と制御基板３１４とセンサ部３１６とスイッチ部３１８とバッテリー３２０とスピーカ３２２とを備えている。
【００９９】
ロック機構ケース３２４は、金属材料や樹脂材料からなる箱体であって、その内部にはロックプレート３０６および制御基板３１４等が収容されている。ロック機構ケース３２４の釘打機本体１０と対向する面の端部には、釘打機本体１０に設けられた第２のロック部５００ｂに係合する凸部３２４ｂが形成されている。
【０１００】
ダイヤル錠３０２は、上述した３個のダイヤル輪３０１を有するダイヤル形式の施錠装置であって、ロック機構ケース３２４の側面部にダイヤル輪３０１の一部を露出させるようにして取り付けられている。
【０１０１】
閂部材３０４は、ロック機構ケース３２４に摺動可能に収容され、頭部３０４ａと軸部３０４ｂと分岐部３０４ｃとロックプレート作動部３０４ｄとから構成されている。軸部３０４ｂは、頭部３０４ａから３個のダイヤル輪の中心を貫通するようにして延設され、ダイヤル錠３０２のロックおよびロック解除操作に伴って上下方向に移動可能となっている。分岐部３０４ｃは、軸部３０４ｂの上端から下方に向かって略Ｌ字状に分岐しており、その先端部が第２のロック機構５５０を電動工具５００に取り付けたときに電動工具５００側の電源スイッチ部５０２の通電状態を切り換えることが可能な位置まで延在している。
【０１０２】
ロックプレート作動部３０４ｄは、軸部３０４ｂと分岐部３０４ｃとの間に設けられ、頭部３０４ａから下方に向かって延設されている。ロックプレート作動部３０４ｄの分岐部３０４ｃ側には、ロックプレート３０６の突起部３０６ｂが係合される係合凹部３０４ｅが設けられている。係合凹部３０４ｅは、突起部３０６ｂの形状に対応して例えば半円形状に窪んでいる。
【０１０３】
ロックプレート３０６は、導電材料からなり、略Ｌ字状をなす平板部材であって、その中央部に設けられた軸部３０６ｆを介してロック機構ケース３２４に取り付けられている。ロックプレート３０６の上端部のロックプレート作動部３０４ｄ側には、ロックプレート３０６の係合凹部３０４ｅに係合可能な突起部３０６ｂが形成されている。ロックプレート３０６の分岐部３０４ｃ側に屈曲した下端部は、ロック時に釘打機本体１０に設けられた第２のロック部１０ｂに嵌合すると共にロック解除時に第１のロック部５００ａから離脱するロック片３０６ｃとして機能する。
【０１０４】
ロックプレート３０６の下端部のダイヤル錠３０２側の面には、一端部がロック機構ケース３２４の内壁面に取り付けられた圧縮ばね３１２が取り付けられ、ロックプレート３０６の下端部がダイヤル錠３０２とは反対方向に付勢されている。これにより、ロック状態においては、ロックプレート３０６は軸部３０６ｆを支点として、その上端がロックプレート作動部３０４ｄに接近（接触）する方向に傾斜する（図２１（Ａ）参照）。
【０１０５】
［第２のロック機構の動作例］
（電動工具の使用時）
電動工具５００を使用しない場合、ユーザは、図２１（Ａ）に示すように、第２のロック機構５５０によりトリガロックダイヤル９４を覆うようにして釘打機本体１０表面に押し当てる。このとき、ロック機構ケース３２４の凸部３２４ｂを電動工具５００の第２のロック部５００ｂに嵌合することにより、第２のロック機構５５０を簡単に位置合わせすることができる。ここで、第２のロック機構５５０の不使用時には、閂部材３０４が押し上げられた状態でダイヤル錠３０２によりロックされているものとする。
【０１０６】
次に、ダイヤル錠３０２の３個のダイヤル輪の暗証番号を合わせてダイヤル錠３０２のロックを解除し、閂部材３０４の頭部３０４ａを下方に押し下げて閂部材３０４のロックプレート作動部３０４ｄを下方に移動させる。これに伴い、図２１（Ｂ）に示すように、ロックプレート３０６の突起部３０６ｂがロックプレート作動部３０４ｄの係合凹部３０４ｅに係合すると共に下端部が圧縮ばね３１２によって分岐部３０４ｃ側に付勢されるので、軸部３０６ｆを支点としてロックプレート３０６の上端がロックプレート作動部３０４ｄに近づく（接触する）方向に傾動する。
【０１０７】
これにより、ロックプレート３０６のロック片３０６ｃが電動工具５００の第１のロック部５００ａに挿入されて第２のロック機構５５０が電動工具５００にロックされる。この状態で、ダイヤル錠３０２の３個のダイヤル輪１３２をロック解除番号以外に合わせてダイヤル錠３０２をロックし、閂部材７４が下方に押し下げられた位置で固定する。また、ロックプレート３０６の傾動によりスイッチ押下部３０６ｄがスイッチ部３１８から離反してセンサ機能がオフとなる。
【０１０８】
また、閂部材３０４の頭部３０４ａの下方への押し下げにより、分岐部３０４ｃも下方に移動するので、図２１（Ｂ）に示すように、その先端部が電源スイッチ部５０２を押下する。これにより、電源スイッチ部５０２が非通電状態となり、電動工具５００の使用が不可能とすることができる。
【０１０９】
（電動工具の使用時）
電動工具５００を使用して作業を始める場合、まず、ダイヤル錠３０２の３個のダイヤル輪の暗証番号を合わせてダイヤル錠３０２のロックを解除し、図２０（Ａ）に示すように、閂部材３０４の頭部３０４ａを上方に押し上げて閂部材３０４のロックプレート作動部３０４ｄを上方に移動させる。
【０１１０】
これに伴い、ロックプレート３０６の突起部３０６ｂとロックプレート作動部３０４ｄの係合凹部３０４ｅと係合が解除され、ロックプレート３０６の上端部がロックプレート作動部３０４ｄ外面によって分岐部３０４ｃ側に押されてロックプレート３０６が傾斜した姿勢から起立した姿勢となる。
【０１１１】
これにより、ロックプレート３０６のロック片３０６ｃが電動工具５００の第１のロック部５００ａから係脱され、第２のロック機構５５０のロックが解除される。また、ロックプレート３０６の傾動によりスイッチ押下部３０６ｄがスイッチ部３１８から離反してセンサ機能がオフとなる。
【０１１２】
また、閂部材３０４の頭部３０４ａの上方への押し上げにより、閂部材３０４の分岐部３０４ｃも下方に移動するので、分岐部３０４ｃの先端部が電源スイッチ部５０２から離反する。これにより、図２０（Ｂ）に示すように、電源スイッチ部５０２が通電状態となり、電動工具５００の使用が可能となる。
【０１１３】
（ロック機構の破損時）
図２２は、第２のロック機構５５０が電動工具５００にロックされた状態において電動工具５００から取り外された場合の機能例を説明するための図である。第２のロック機構５５０が電動工具５００に装着された状態において、第三者によって第２のロック機構５５０が無理やり取り外されると、上述したように、電動工具５００に埋め込まれたマグネット３２６と第２のロック機構５５０のセンサ部３１６との距離Ｘが正常値よりも離れるので、センサ部３１６により異常が検出され、スピーカ３２２からブザー音等が出力される。このブザー音等により、ユーザは、第２のロック機構５５０が電動工具５００から取り外されたことを知ることができ、電動工具５００の盗難を未然に防止することができる。
【０１１４】
＜第６の実施の形態＞
本実施の形態では、第１のロック（トリガロック）機構６９０の方式としてプッシュ式凹凸嵌合位置ずらし方式を採用している。なお、上記第１の実施の形態で説明した釘打機１００および第１および第２のロック機構９０，５０と共通する構成要素には同一の符号を付し、詳細な説明は省略する。
【０１１５】
図２３は、第６の実施の形態に係る釘打機６００の構成例を示す図である。図２４は、第１のロック機構６９０および第２のロック機構６５０の構成例を示す図である。釘打機６００は、トリガ１６をロックするための第１のロック機構６９０と第２のロック機構６５０とを備えている。
【０１１６】
［第１のロック機構の構成例］
第１のロック機構６９０は、ロック位置およびロック解除位置に移動することでトリガ１６のロックおよびロック解除を行うトリガロックレバー６０２を有している。トリガロックレバー６０２は頭部６０２ａと頭部６０２ａに接続された軸部６０２ｂとから構成され、軸部６０２ｂがトリガ１６の背面側に形成された取付片５６，５６に跨るようにして回動可能に取り付けられている。軸部６０２ｂには、トリガ１６と対向した位置にロック時にトリガ１６（図３（Ａ）参照）の係合片１６ａが係合される凹部６０２ｃが形成されている。したがって、トリガロックレバー６０２において凹部６０２ｃが形成された位置がロック解除位置となり、凹部６０２ｃ以外の位置がロック位置となる。
【０１１７】
トリガロックレバー６０２の一端側の頭部６０２ａと取付片５６との間には、トリガロックレバー６０２をその長手方向に沿ってロック位置およびロック解除位置に移動させるための閂部材６１０が介挿されている。一方、トリガロックレバー９２の他端側にはキャップ６０５が取り付けられ、このキャップ６０５と取付片５６との間には圧縮ばね６０３が介挿されている。
【０１１８】
［第２のロック機構の構成例］
第２のロック機構６５０は、トリガロックレバー６０２の動作を拘束するものであり、ダイヤル錠６３０と閂部材６１０と板ばね６１２とを有している。ダイヤル錠６３０は、自己のロックおよびロック解除に応じて閂部材６１０を移動可能に支持するものであり、トリガロックレバー６０２の近傍にカシメピンなどの締結部材により釘打機本体１０に強固に固定して取り付けられている。ダイヤル錠６３０は、ダイヤル輪６３２とダイヤル本体６３４とを有しており、図示しないが、ダイヤル輪６３２のロック解除番号に対応した裏面位置（内周面）には、閂部材６１０の突起部がロック解除時にスライド可能に嵌合される切欠部が形成されている。
【０１１９】
図２５（Ａ）は閂部材６１０の構成例を示す平面図であり、図２５（Ｂ）はその側面図であり、図２５（Ｃ）は一端側の側面部である。閂部材６１０は、ダイヤル錠６３０のロック解除時に、トリガロックレバー６０２をロック位置またはロック解除位置に移動させるものであり、頭部６１０ａと頭部６１０ａに連なる軸部６１０ｂと軸部６１０ｂの一端部に形成された平板部６１０ｃとから構成されている。
【０１２０】
軸部６１０ｂは、ダイヤル錠６３０に移動可能に取り付けられ、ダイヤル錠６３０のロック解除時に軸部６１０ｂの長手方向に沿って移動する。頭部６１０ａは、ストッパとして機能することで、閂部材６１０のダイヤル錠６３０からの脱落を防止する。
【０１２１】
平板部６１０ｃは、図２４に示すように、トリガロックレバー６０２の頭部６０２ａと取付片５６との間に介挿され、軸部６１０ｂ側に設けられた肉薄部６１０ｄと肉薄部６１０ｄから端部に向かって厚みが厚くなるように傾斜したテーパー部６１０ｅとこのテーパー部６１０ｅから端縁に延びる肉厚部６１０ｆとを有している。本例では、肉薄部６１０ｄが閂部材６１０のロック解除位置として機能し、肉厚部６１０ｆが閂部材６１０のロック位置として機能する。
【０１２２】
閂部材６１０がロック解除位置に移動すると、肉薄部６１０ｄが頭部６０２ａと取付片５６との間に位置するので、肉薄部６１０ｄの厚みに応じてトリガロックレバー６０２がその長手方向に移動してロック解除位置に設定される（図２７（Ｂ）参照）。一方、閂部材６１０がロック位置に移動すると、肉厚部６１０ｆが頭部６０２ａと取付片５６との間に位置するので、肉厚部６１０ｆの厚みに応じてトリガロックレバー６０２がその長手方向に沿って移動してロック位置に設定される（図２７（Ａ）参照）。
【０１２３】
平板部６１０ｃには、図２５（Ａ）に示すように、閂部材６１０の移動用の楕円形状をなす開口部６１０ｇが形成されている。開口部６１０ｇは、少なくとも肉薄部６１０ｄおよびテーパー部６１０ｅに至る長さであれば良い。平板部６１０ｃの裏面側のスライド孔６１２ａに対向した位置には突起部６１０ｈが形成され、軸部９２ａの裏面側には突起部６１０ｉが形成されている。
【０１２４】
図２６（Ａ）は板ばね６１２の構成例を示す平面図であり、図２６（Ｂ）はその側面部である。板ばね６１２は、細長の長方形状をなす弾性体であって、釘打機本体１０表面と閂部材６１０との介在されている。板ばね６１２の一端は釘打機本体１０に取り付けられ、他端は自由端となっている。板ばね６１２の略中央部の裏面（釘打機本体１０側の面）には圧縮ばね６０６が介挿され、圧縮ばね６０６により板ばね６１２が外方向（釘打機本体１０側と反対方向）に付勢されている。
【０１２５】
板ばね６１２には、閂部材６１０の突起部６１０ｈをスライド可能に支持するスライド孔６１２ａおよびトリガロックレバー６０２を挿通するための挿通孔６１２ｃが形成されている。スライド孔６１２ａは、板ばね６１２の幅方向の両端部であって閂部材６１０の突起部６１０ｈに対応した位置に形成され、板ばね６１２の長手方向に沿って延設されている。
【０１２６】
［第１および第２のロック機構の動作例］
（トリガをロックする場合）
釘打機６００を使用しない場合、ユーザは、ダイヤル錠６３０の３個のダイヤル輪のロック解除番号を合わせてダイヤル錠６３０のロックを解除し、図２７（Ａ）および図２８（Ａ）に示すように、閂部材６１０の頭部６１０ａを上方に押し上げてロック位置に移動させる。この押し上げ動作により、閂部材６１０の突起部６１０ｈが板ばね６１２のスライド孔６１２ａに嵌合してスライド孔６１２ａに沿って移動すると共に図中上方の突起部６１０ｉが板ばね６１２から離脱する（図２５および図２６参照）。これにより、板ばね６１０の一（下）端側の突起部６１０ｈによる押圧がなくなるので、板ばね６１２の一端が圧縮ばね６０６により釘打機本体１０から離れる方向に押し上げられる。
【０１２７】
また、閂部材６１０の上方の移動により、トリガロックレバー６０２と取付片５６との間に肉厚部６１０ｆが位置する。これにより、トリガロックレバー６０２は、肉厚部６１０ｆの厚み分だけ閂部材６１０側（矢印Ｄ１方向）に移動する。つまり、トリガ１６が係合可能なロック解除位置からトリガ１６が係合不能なロック位置にずれる。この状態で、ダイヤル錠６３０の３個のダイヤル輪１３２をロック解除番号以外に合わせてダイヤル錠６３０をロックし、閂部材７４をロック位置で固定する。このようにして、トリガロックレバー６０２の凹部６０２ｃの位置をロック解除位置からロック位置にずらすことにより、トリガ１６の操作をロックすることができる。
【０１２８】
（トリガのロックを解除する場合）
釘打機６００を使用する場合、ユーザは、ダイヤル錠６３０の３個のダイヤル輪のロック解除番号を合わせてダイヤル錠６３０のロックを解除し、図２７（Ｂ）および図２８（Ｂ）に示すように、閂部材６１０の頭部６１０ａを下方に押し下げて閂部材６１０をロック解除位置に移動させる。この押し下げ動作により、閂部材６１０の突起部６１０ｈが板ばね６１２のスライド孔６１２ａから離脱して板ばね６１２に乗った状態となり、図中上方の突起部６１０ｉも板ばね６１２に乗った状態となる。これにより、突起部６１０ｉ，６１０ｊにより板ばね６１０が押圧されるので圧縮ばね６０６が圧縮されて板ばね６１２が元の位置に戻る。
【０１２９】
また、閂部材６１０の下方の移動により、トリガロックレバー６０２と板ばね６１２との間に肉薄部６１０ｄが位置する。そのため、トリガロックレバー６０２と板ばね６１２との間が肉厚部６１０ｆが位置する場合と比べて狭くなるので、トリガロックレバー６０２は、圧縮ばね６０３の弾性力により肉厚部６１０ｆの厚み分だけ閂部材６１０と反対側（矢印Ｄ２方向）に移動する。このようにして、トリガ１６が係合できないロック位置からトリガ１６が係合可能なロック解除位置にトリガロックレバー６０２がずれるので、トリガ１６のロックを解除することができる。
【０１３０】
（第２のロック機構の破損時）
例えば、釘打機６００が盗難され、閂部材６１０が図２９に示す位置で切断された場合、閂部材６１０による板ばね６１２の他端部の押圧もなくなるので、板ばね６１２全体が圧縮ばね６０３の復帰力により外方向に跳ね上がる。これにより、トリガロックレバー９２と釘打機本体１０との間には切断された閂部材６１０および板ばね６１２が介挿されることになるので、閂部材６１０がロック位置において強固に固定されて挿入された状態となる。
【０１３１】
そのため、盗難者は、盗難したものの、閂部材６１０を取り除いてトリガロックレバー９２の解除を行うことが困難となり、盗難しても釘打機６００を使用できない状態とすることができる。したがって、盗難者に対して本発明の盗難防止がなされた釘打機６００を盗難しても意味がないものと知らしめることができ、盗難自体を減少させることができる。
【０１３２】
＜第７の実施の形態＞
上記第３の実施の形態では、第１のロック（トリガロック）機構の方式としてプッシュ式凹凸嵌合位置ずらし方式を採用し、ガスネイラ７００に第１のロック機構７９０および第２のロック機構７５０を適用した例について説明する。なお、上記第６の実施の形態で説明した第１のロック機構６９０および第２のロック機構６５０と共通する構成要素には同一の符号を付し、詳細な説明は省略する。
【０１３３】
［ガスネイラの構成例］
図３０は、第７の実施の形態に係るガスネイラ７００の構成例を示す図である。図３１および図３２は、第１のロック機構７９０および第２のロック機構７５０の構成例を示す図である。
【０１３４】
ガスネイラ７００は、工具の一例を構成し、駆動機構や過給装置等が収納される本体７１０と、本体７１０に一体形成されたグリップ７１２と、本体７１０下部から突出するように設けられたマガジン部７１４を有したノーズ部７１６とを備えている。
【０１３５】
本体７１０の内部下方にはガス缶７６０を装着するためのカートリッジ７２０が設けられている。本体７１０のカートリッジ７２０が設けられた位置には、ガス缶７６０の挿入をロックするための第１のロック機構７９０および第２のロック機構７５０が取り付けられている。
【０１３６】
［第１のロック機構の構成例］
第１のロック機構７９０は、図３１に示すように、ロック時にカートリッジ７２０に挿入されるガス缶７６０の障害となるものであり、軸部７３０ａと軸部７３０ａの一端に設けられた頭部７３０ｂとから構成されたロック部材７３０を備えている。ロック部材７３０は、頭部７３０ｂを外側にして本体７１０からカートリッジ７２０内部に挿通され、カートリッジ７２０内部に露出した端部には圧縮ばね７３２を介してキャップ７３４が取り付けられている。ロック部材７３０の長手方向の長さは、圧縮ばね７３２の通常状態時（ロック時）にカートリッジ７２０に挿入されるガス缶７６０の装着領域ＳＧ（図２９（Ａ）の点線領域）に侵入可能な長さに選定されている。
【０１３７】
［第２のロック機構の構成例］
第２のロック機構７５０は、上記第６の実施の形態の第２のロック機構６５０と同様の構成であり、ダイヤル錠６３０と閂部材６１０と板ばね６１２とから構成されている。閂部材６１０は、ダイヤル錠６３０のロック解除時に、トリガロックレバー６０２をロックするロック位置またはトリガロックレバー６０２のロックを解除するロック解除位置に移動し、トリガロックレバー６０２をロック位置またはロック解除位置に設定する。
【０１３８】
本例では、肉薄部６１０ｄが閂部材６１０のロック位置として機能し、肉厚部６１０ｆが閂部材６１０のロック解除位置として機能する。閂部材６１０をロック位置に移動させると、図３１（Ａ）および図３２（Ａ）に示すように、肉薄部６１０ｄが頭部７３０ｂと本体７１０との間に位置するので、圧縮ばね７３２の復帰力によりロック部材７３０がその長手方向Ｄ３に沿って移動し、ロック部材７３０がガス缶７６０の侵入の妨げとなるロック位置に設定される。
【０１３９】
一方、閂部材６１０をロック解除位置に移動させると、図３１（Ｂ）および図３２（Ｂ）に示すように、肉厚部６１０ｆが頭部７３０ｂと本体７１０との間に位置するので、肉厚部６１０ｆの厚みにより圧縮ばね７３２が圧縮されてロック部材７３０がその長手方向Ｄ４に移動し、ロック部材７３０がロック解除位置に設定される。
【０１４０】
＜第８の実施の形態＞
第８の実施の形態では、第１のロック（トリガロック）機構の方式としてプッシュ式凹凸嵌合位置ずらし方式を採用し、上記第３の実施の形態の第２のロック機構３５０を採用した例について説明する。なお、上述した第３の実施の形態で説明した釘打機３００および第１および第２のロック機構３９０，３５０と共通する構成要素には同一の符号を付し、詳細な説明は省略する。
【０１４１】
図３３（Ａ）は第８の実施の形態に係る釘打機８００の構成例を示す図であり、図３３（Ｂ）は第１のロック機構８９０および第２のロック機構８５０の構成例を示す斜視図である。図３４（Ａ）および図３４（Ｂ）は、第１のロック機構８９０および第２のロック機構８５０の構成例を示す図である。釘打機８００は、トリガ１６をロックするための第１のロック機構８９０と第２のロック機構８５０を備えている。
【０１４２】
［第１のロック機構の構成例］
第１のロック機構８９０は、トリガロックレバー９２を備えている。トリガロックレバー９２は、図３４（Ｂ）に示すように、取付片５６，５６間に跨るようにして取り付けられ、一端側にキャップ８９２が取り付けられると共に、他端側に後述する第２のロック機構８５０のロック部１１２ｃが係合される凹部９２ｅが形成されている。凹部９２ｅは、第２の係合部の一例を構成し、トリガ１６とトリガロックレバー９２の切欠部９２ｍ（第１の係合部）とが係合しないロック位置にあるとき、ロック制御板１１２のロック部１１２ｃと対向（係合）するような位置に設けられる。
【０１４３】
［第２のロック機構の構成例］
第２のロック機構８５０は、ロック機構ケース１１０とロック制御板１１２とロック制御板押えばね１１４とダイヤル錠１３０とトリガレバー操作部８１０とを有している。
ロック制御板１１２は、細長の平板部材であって、トリガロックレバー９２の動作をロックしたり、そのロック解除を行うものである。ロック制御板１１２のトリガロックレバー１２０との対向面側の一端部には、ダイヤル輪芯１３４に形成された凹部１３４ａに嵌合可能な突起部１１２ａが形成されている。ロック制御板１１２の対向面側の他端部には、取付片５６に形成された突起部５６ａに係合可能な突起部１１２ｂが形成されている。
【０１４４】
ロック制御板１１２の対向面側の略中央部から他端側にずれた位置には、トリガロックレバー９２の凹部９２ｅに嵌合可能なロック部１１２ｃが形成されている。ロック部１１２ｃには軸部用の長孔が形成され、この長孔には軸部８２０が取り付けられている。これにより、ロック制御板１１２が軸部８２０を支点として傾動可能となっている。
【０１４５】
トリガレバー操作部８１０は、図３４（Ｂ）に示すように、トリガロックレバー９２をロック位置およびロック解除位置に移動させるためのダイヤル式の操作体であって、ロック機構ケース１１０の側面部に取り付けられている（図３３（Ｂ）参照）。トリガレバー操作部８１０は、ロック機構ケース１１０内部に２個の互いに噛み合ったギア８１１,８１２を有し、トリガロックレバー９２側のギア８１２がトリガロックレバー９２の側面部に形成されたギア溝９２ｈに噛み合っている。これにより、トリガレバー操作部８１０をロック位置に移動させるとトリガロックレバー９２がロック位置に移動し、トリガレバー操作部８１０をロック解除位置に移動させるとトリガロックレバー９２がロック解除位置に移動する。
【０１４６】
［ロックおよびロック解除時の動作例］
（トリガをロックする場合）
図３５（Ａ）〜図３５（Ｃ）は、トリガ１６をロックする場合の第１のロック機構８９０および第２のロック機構８５０の動作例を示す図である。釘打機８００を使用しない場合、ユーザは、図３４（Ｂ）に示すように、トリガレバー操作部８１０をロック位置に回す。この操作により、図３５（Ａ）および図３５（Ｂ）に示すように、ギア８１１，８１２を介してトリガロックレバー９２がロック解除位置からロック位置に移動する。
【０１４７】
トリガロックレバー９２がロック位置に移動したら、ダイヤル錠１３０の３個のダイヤル輪１３２をロック解除番号以外に合わせて、図３５（Ｃ）に示すように、ロック制御板１１２の突起部１１２ａをダイヤル輪芯１３４の凹部１３４ａと噛み合わない位置まで移動させる。
【０１４８】
この移動により、ロック制御板１１２の突起部１１２ａ側がダイヤル輪芯１３４の凹部１３４ａ以外の周面部によって押し上げられるので、ロック制御板１１２は突起部１１２ｂ側がトリガロックダイヤル９４に近接する方向に傾動し、ロック制御板１１２のロック部１１２ｃがトリガロックレバー９２の凹部９２ｅに嵌合する。これにより、トリガロックレバー９２がトリガ１６と係合しないロック位置で固定されるので、トリガ１６をロックすることができる。
【０１４９】
（ロック解除時）
ユーザは、上述したトリガ１６をロックする場合の動作と逆の動作を行う。釘打機８００を使用する（作業を始める）場合、ユーザは、ダイヤル錠１３０の３個のダイヤル輪１３２をロック解除番号に合わせて、ロック制御板１１２の突起部１１２ａをダイヤル輪芯１３４の凹部１３４ａに嵌合させる。この嵌合に伴って、ロック制御板１１２がロック制御板押えばね１１４が弾性力により元の状態に戻るので、ロック制御板１１２が図３５（Ｂ）に示すように傾斜姿勢から水平姿勢に戻り、ロック制御板１１２のロック部１１２ｃがトリガロックレバー９２の凹部９２ｅから離脱する。
【０１５０】
この状態で、図３４（Ｂ）に示すように、トリガレバー操作部８１０を操作してロック解除位置に回すことにより、トリガロックレバー９２がロック解除位置に移動する。これにより、トリガ１６がトリガロックレバー９２の切欠部９２ｍに係合可能となり、トリガ１６の引き操作を行うことができる。
【０１５１】
なお、本発明の技術範囲は、上述した実施形態に限定されるものではなく、本発明の趣旨を逸脱しない範囲において、上述した実施形態に種々の変更を加えたものを含む。
【符号の説明】
【０１５２】
１０・・・釘打機本体、７４，３０４・・・閂部材、５０，１５０，２５０，３５０，４５０，５５０，６５０，７５０，８５０・・・第２のロック機構、９０，１９０，２９０，３９０，４９０，５９０，６９０，７９０，８９０・・・第１のロック機構、９２，６０２・・・トリガロックレバー、９４・・・トリガロックダイヤル、１００，２００，３００，４００，６００，８００，９００・・・釘打機、５００・・・電動工具、７００・・・ガスネイラ、７１０・・・本体
【図１】
2010173044.tif 000003
【図２】
2010173044.tif 000004
【図３】
2010173044.tif 000005
【図４】
2010173044.tif 000006
【図５】
2010173044.tif 000007
【図６】
2010173044.tif 000008
【図７】
2010173044.tif 000009
【図８】
2010173044.tif 000010
【図９】
2010173044.tif 000011
【図１０】
2010173044.tif 000012
【図１１】
2010173044.tif 000013
【図１２】
2010173044.tif 000014
【図１３】
2010173044.tif 000015
【図１４】
2010173044.tif 000016
【図１５】
2010173044.tif 000017
【図１６】
2010173044.tif 000018
【図１７】
2010173044.tif 000019
【図１８】
2010173044.tif 000020
【図１９】
2010173044.tif 000021
【図２０】
2010173044.tif 000022
【図２１】
2010173044.tif 000023
【図２２】
2010173044.tif 000024
【図２３】
2010173044.tif 000025
【図２４】
2010173044.tif 000026
【図２５】
2010173044.tif 000027
【図２６】
2010173044.tif 000028
【図２７】
2010173044.tif 000029
【図２８】
2010173044.tif 000030
【図２９】
2010173044.tif 000031
【図３０】
2010173044.tif 000032
【図３１】
2010173044.tif 000033
【図３２】
2010173044.tif 000034
【図３３】
2010173044.tif 000035
【図３４】
2010173044.tif 000036
【図３５】
2010173044.tif 000037